(57)【要約】【課題】本発明は、おが粉乾燥で消費する石油燃焼熱を太陽熱とペレット燃焼熱の併用に置き換えて脱石油を図ろうとするベルトコンベヤー式おが粉乾燥装置を提供することを目的とするものである。【解決手段】透明ビニールハウス２には、一方のベルトコンベヤー７列の始端側となる投入ホッパー９と、他方のベルトコンベヤー８列の終端側となる受けホッパー１０とを設け、前記一方のベルトコンベヤー７列の終端側と他方のベルトコンベヤー８列の始端側とを連繋し、一方のベルトコンベヤー７列から他方のベルトコンベヤー８列へおが粉を移し替えする切り返しホッパー１１を設ける。前記投入ホッパー９を前記受けホッパー１０より高位に設け、同様に前記一方のベルトコンベヤー７列を前記他方のベルトコンベヤー８列より高位に設け、前記切り返しホッパー１１から重力を利用して移し替え、その際混合作用を行わせるように形成する。【選択図】図１
2007132573.tif 000002
【特許請求の範囲】
【請求項１】
透明フイルムと透明フイルムの間に間隙空間を形成した二重透明フイルムによりアーチ状の透明ビニールハウスを形成し、前記透明ビニールハウス床面の床暖パネルの上方に、前記透明ビニールハウスの長手方向に沿って２列並列にベルトコンベヤーを設置し、一方のベルトコンベヤー列の始端側となる投入ホッパーと、他方のベルトコンベヤー列の終端側となる受けホッパーとを設け、前記一方のベルトコンベヤー列の終端側と他方のベルトコンベヤー列の始端側とを連繋し、一方のベルトコンベヤー列から他方のベルトコンベヤー列へおが粉を移し替えする切り返しホッパーを設けたことを特徴とするベルトコンベヤー式おが粉乾燥装置。
【請求項２】
前記投入ホッパーを前記受けホッパーより高位に設け、同様に前記一方のベルトコンベヤー列を前記他方のベルトコンベヤー列より高位に設け、前記切り返しホッパーから重力を利用して移し替え、その際おが粉の混合作用が行われるように形成したことを特徴とする請求項１記載のベルトコンベヤー式おが粉乾燥装置。
【請求項３】
前記他方のベルトコンベヤー列の天井位置には、他方のベルトコンベヤー列にて搬送されるおが粉にふく射熱を放射する天井ふく射パネルを設け、該天井ふく射パネルの天井側裏面には断熱材を添設したことを特徴とする請求項１記載のベルトコンベヤー式おが粉乾燥装置。
【発明の詳細な説明】
【技術分野】
【０００１】
本発明は、おが粉など木質材料を木質ペレットに燃料化して用いる際、おが粉の乾燥を行うベルトコンベヤー式おが粉乾燥装置に関する。
【背景技術】
【０００２】
おが粉など木質材料を木質ペレットに燃料化して用いる際に、おが粉の乾燥が重要な工程である。ペレットに加工するにはおが粉の水分が製品の善し悪しにつながる。生のおが粉を乾燥するには大量の熱量を要し、現在石油を燃やして乾燥している。
従来、太陽熱の蒸発作用と繊維質搬送帯の毛管作用による脱水作用により、汚泥やおから等のような水分率の高い物質を、低コストで、補助燃料を用いることなく、乾燥する乾燥装置が知られている（特許文献１を参照）。
この公知技術は、太陽熱による温室内に、繊維質素材のコンベヤベルトを備えたベルトコンベヤーから成る乾燥台を設置し、該乾燥台に始端には汚泥等の水分率の高い物質の供給ホッパーを臨ましめると共に、前記乾燥台の終端付近には被乾燥物の受け箱を設置し、前記乾燥台の下方には透過液受け皿を配設した乾燥装置である。
【特許文献１】特開平５−１８５０９８号公報
【発明の開示】
【発明が解決しようとする課題】
【０００３】
本発明は、おが粉乾燥で消費する石油燃焼熱を太陽熱とペレット燃焼熱の併用に置き換えて脱石油を図ろうとするベルトコンベヤー式おが粉乾燥装置を提供することを目的とするものである。
【課題を解決するための手段】
【０００４】
本発明のベルトコンベヤー式おが粉乾燥装置は、透明フイルムと透明フイルムの間に間隙空間を形成した二重透明フイルムによりアーチ状の透明ビニールハウスを形成し、前記透明ビニールハウス床面の床暖パネルの上方に、前記透明ビニールハウスの長手方向に沿って２列並列にベルトコンベヤーを設置し、一方のベルトコンベヤー列の始端側となる投入ホッパーと、他方のベルトコンベヤー列の終端側となる受けホッパーとを設け、前記一方のベルトコンベヤー列の終端側と他方のベルトコンベヤー列の始端側とを連繋し、一方のベルトコンベヤー列から他方のベルトコンベヤー列へおが粉を移し替えする切り返しホッパーを設けたものである。
また、前記投入ホッパーを前記受けホッパーより高位に設け、同様に前記一方のベルトコンベヤー列を前記他方のベルトコンベヤー列より高位に設け、前記切り返しホッパーから重力を利用して移し替え、その際混合作用を行わせるように形成したものである。
さらに、前記他方のベルトコンベヤー列の天井位置には、他方のベルトコンベヤー列にて搬送されるおが粉にふく射熱を放射する天井ふく射パネルを設け、該天井ふく射パネルの天井側裏面には断熱材を添設したものである。
【発明の効果】
【０００５】
本発明のベルトコンベヤー式おが粉乾燥装置は、透明ビニールハウス前面と後面の棟部にファンを２個設置して、温風による乾燥促進と湿潤空気の排出作用を兼ねているので、温風と日射及び天井パネルのふく射の両方で乾燥を行うことができる。
さらに、本発明のベルトコンベヤー式おが粉乾燥装置は、透明ビニールハウス内を温度５０℃に維持するよう、床面には床暖パネルを設置して温水により補助的に暖房を行い、コンクリート床は外断熱により駆体蓄熱作用と断熱作用をもたせてあるため、乾燥を促進させることができる。
【実施例】
【０００６】
本発明のベルトコンベヤー式おが粉乾燥装置の一実施例を図面に基づいて、以下に説明する。
図１に示すように、透明フイルムと透明フイルムの間に間隙空間を形成した二枚重ねの透明フイルム（以下、「二重透明フイルム」という。）１を作成し、該二重透明フイルム１をアーチ状に半円弧状の蒲鉾型透明ビニールハウス２を形成する。
前記透明ビニールハウス２の床面３は、地面を掘削して形成した凹部に断熱材４を介して長手方向中央部に床暖パネル５を設置して土間コンクリート６を打設したものである。
前記床暖パネル５は温水により補助的に暖房を行い、土間コンクリート６は外断熱により駆体蓄熱作用と断熱作用を持たせている。
前記透明ビニールハウス２内の前記床暖パネル５の上方に、前記透明ビニールハウス２の長手方向に沿って２列並列にベルトコンベヤー７，８を設置する。
図２に示すように、前記透明ビニールハウス２の出入口側（以下、「前面」という。）には、一方のベルトコンベヤー７列の始端側となる投入ホッパー９と、他方のベルトコンベヤー８列の終端側となる受けホッパー１０とを設け、前記透明ビニールハウス２の出入口とは反対側（以下、「後面」という。）には、前記一方のベルトコンベヤー７列の終端側と他方のベルトコンベヤー８列の始端側とを連繋し、一方のベルトコンベヤー７列から他方のベルトコンベヤー８列へおが粉を移し替えする切り返しホッパー１１を設ける。
図３に示すように、前記投入ホッパー９を前記受けホッパー１０より高位に設け、同様に前記一方のベルトコンベヤー７列を前記他方のベルトコンベヤー８列より高位に設け、前記切り返しホッパー１１から重力を利用して移し替え、その際混合作用を行わせるように形成する。
また、前記他方のベルトコンベヤー８列の天井位置には、他方のベルトコンベヤー８列にて搬送されるおが粉にふく射熱を放射する天井ふく射パネル１２を設け、該天井ふく射パネル１２の天井側裏面には断熱材１３を添設する。
なお、本実施例においては、２本のベルトコンベヤー（１０ｍ×２本）を直列に繋ぎ１つのベルトコンベヤー列を形成している。
図２、３に示すように、前記透明ビニールハウス２の前面と後面の棟部にファン１４，１４を２個設置して、温風による乾燥促進と湿潤空気の排出作用を兼ねている。
【０００７】
次に、本発明のベルトコンベヤー式おが粉乾燥装置の操作動作を図面に基づいて、以下に説明する。
図２に示すように、本発明のベルトコンベヤー式おが粉乾燥装置は、透明ビニールハウス２の前面の出入り口１５から投入ホッパー９内におが粉を投入し、該投入ホッパー９に投入されたおが粉はベルトコンベヤー７上に移載される。
前記ベルトコンベヤー７上におが粉を均一に散布させると共に、前記ベルトコンベヤーの速度は低速としてゆっくり進行させる。
前記ベルトコンベヤー７上のおが粉をゆっくり移動させる間に、主として二重透明フイルム１を透過する日射と天井ふく射パネル１２からのふく射で乾燥を促進し、乾燥工程を進行させるものである。
ベルトコンベヤー７列は透明ビニールハウス２を透過して室内に入射する太陽熱で乾燥させ、透明ビニールハウス２の奥の突き当りでは切り返しホッパー１１でおが粉をベルトコンベヤー８列に移し替え、戻りは温水または蒸気で過熱された天井ふく射パネル１２（１２０〜１３０℃）のふく射を照射してさらにベルトコンベヤー８列で乾燥を促進させる。
乾燥されたおが粉は、前記ベルトコンベヤー８列から受けホッパー１０に投入されて集積される。
【０００８】
１台１０ｍのベルトコンベヤーを行き２本（２０ｍ）のベルトコンベヤー７列、戻り２本のベルトコンベヤー８列を設置して、往復の長さが４０ｍの場合、４時間で１サイクルを行うとしてベルト速度は０．１７ｍ/ｍｉｎとなる。
この条件で水分含有率５０％から３０％に乾燥できると試算され、いわゆる予備乾燥できることになる。
３０％から１０％への仕上げ乾燥はさらに同じ乾燥工程をもう一度繰り返して行う。
さらには予備乾燥用と仕上げ乾燥用のコンベヤーを二列ずつ並行して配列させ、二レーン方式にすることにより予備乾燥と仕上げ乾燥を一気に完了することができる。
蒸気発生の熱源は、乾燥おが粉を原料にして作った木質ペレットまたは木質廃材等を燃料とした燃焼熱である。
すなわち、太陽熱と木質燃料の燃焼熱の併用による脱石油である。
【図面の簡単な説明】
【０００９】
【図１】本発明のベルトコンベヤー式おが粉乾燥装置の一部断面正面図である。
【図２】本発明のベルトコンベヤー式おが粉乾燥装置の概略平面図である。
【図３】本発明のベルトコンベヤー式おが粉乾燥装置の一部断面側面図である。
【符号の説明】
【００１０】
１  二重透明フイルム
２  透明ビニールハウス
３  床面
４  断熱材
５  床暖パネル
６  土間コンクリート
７  ベルトコンベヤー
８  ベルトコンベヤー
９  投入ホッパー
１０  受けホッパー
１１  切り返しホッパー
１２  天井ふく射パネル
１３  断熱材
１４  ファン
１５  出入り口
【図１】
2007132573.tif 000003
【図２】
2007132573.tif 000004
【図３】
2007132573.tif 000005